(57)【要約】【課題】旅行先での所定行為の代行契約を個人間で締結させることができる個人間代行契約仲介方法を、提供する。【解決手段】旅行へ出る予定があり且つ旅行先で他人のために所定行為の代行を行う用意がある受注希望者が、サーバ装置１に対してその旅行の目的地及び旅行期間を通知すると、これらの情報が旅行情報データベース１３４に登録される。その後、発注希望者がサーバ装置１に対して、行為履行地及び期限を通知すると、これに合致する受注希望者のリストを応答する。発注希望者が、このリスト中の何れかの受注希望者を特定して行為代行の条件を通知すると、個人間行為代行契約仲介システム１２２は、その条件を承諾するか否かを、特定された受注希望者に問い合わせる。受注希望者が条件を承諾する旨を応答すると、個人間行為代行契約仲介システム１２２は、その条件の下に成立した行為代行契約の内容を、契約内容データベース１３５に登録する。【選択図】　図１
2004005067.tif 000002
【特許請求の範囲】
【請求項１】
旅行へ出る予定があり且つ旅行先で他人のために所定行為の代行を行う用意がある受注希望者と、他人に特定場所での所定行為の代行を依頼したい発注希望者との間での行為代行契約の締結を支援する個人間行為代行契約仲介方法であって、
ネットワークを介して複数の端末と通信を行うコンピュータシステム内において、記憶媒体に格納されたプログラムに従って各種制御を実行する処理装置が、
何れかの受注希望者が操作する端末から、旅行の目的地及び旅行期間を特定する情報を受信する毎に、これら情報及びその受注希望者の識別情報からなるレコードを第１記憶部に格納し、
何れかの発注希望者が操作する端末から、行為履行地及び期限を特定する情報を受信すると、これら行為履行地及び期限に適合するレコードを前記第１記憶部から抽出して、そのリストを前記発注希望者が操作する端末へ応答し、
前記リストが送信された端末から、何れかのレコードを特定する情報及び行為の条件を受信すると、特定されたレコードに含まれる識別情報が示す受注希望者に対して、その条件を承諾する否かを問い合わせるメッセージを送信し、
前記メッセージが送信された受注希望者が操作する端末から、前記条件を承諾する情報を受信すると、当該条件の下に成立した行為代行契約の内容を、第２記憶部に格納する
ことを特徴とする個人間行為代行契約仲介方法。
【請求項２】
前記処理装置は、前記メッセージが送信された受注希望者が操作する端末から、前記条件を承諾する情報を受信した後、更に、前記発注希望者に対して、前記条件を承諾するか否かを問い合わせるメッセージを送信し、前記メッセージが送信された発注希望者が操作する端末から、前記条件を承諾する情報を受信した時点で、当該条件の下に成立した行為代行契約の内容を、第２記憶部に格納する
ことを特徴とする請求項１記載の個人間行為代行契約仲介方法。
【請求項３】
前記メッセージは電子メールによって送信される
ことを特徴とする請求項１又は２記載の個人間行為代行契約仲介方法。
【請求項４】
旅行へ出る予定があり且つ旅行先で他人のために所定行為の代行を行う用意がある受注希望者と、他人に特定場所での所定行為の代行を依頼したい発注希望者との間での行為代行契約の締結を支援する個人間行為代行契約仲介方法であって、
ネットワークを介して複数の端末と通信を行うコンピュータシステム内において、記憶媒体に格納されたプログラムに従って各種制御を実行する処理装置が、
何れかの発注希望者が操作する端末から、行為の履行地，期限及び条件を特定する情報を受信する毎に、これら情報及びその発注希望者の識別情報からなるレコードを第１記憶部に格納し、
何れかの受注希望者が操作する端末から、旅行の目的地及び旅行期間を特定する情報を受信すると、これら旅行の目的地及び旅行期間に適合するレコードを前記第１記憶部から抽出して、そのリストを前記受注希望者が操作する端末へ応答し、
前記リストが送信された端末から、何れかのレコードを特定する情報を受信すると、特定されたレコードに含まれる識別情報が示す発注希望者に対して、そのレコード中の条件を承諾する否かを問い合わせるメッセージを送信し、
前記メッセージが送信された発注希望者が操作する端末から、前記条件を承諾する情報を受信すると、当該条件の下に成立した行為代行契約の内容を、第２記憶部に格納する
ことを特徴とする個人間行為代行契約仲介方法。
【請求項５】
前記処理装置は、前記リストが送信された受注希望者が操作する端末から、何れかのレコードを特定する情報を受信した後、前記受注希望者が操作する端末に対して、特定されたレコードに含まれる条件を承諾するか否かを問い合わせるメッセージを送信し、前記メッセージが送信された受注希望者が操作する端末から、前記条件を承諾する情報を受信した時点で、特定されたレコードに含まれる識別情報が示す発注希望者に対して、そのレコード中の条件を承諾する否かを問い合わせるメッセージを送信する
ことを特徴とする請求項４記載の個人間行為代行契約仲介方法。
【請求項６】
前記メッセージは電子メールによって送信される
ことを特徴とする請求項４記載の個人間行為代行契約仲介方法。
【請求項７】
旅行へ出る予定があり且つ旅行先で他人のために所定行為の代行を行う用意がある受注希望者と、他人に特定場所での所定行為の代行を依頼したい発注希望者との間での行為代行契約の締結を支援する個人間行為代行契約仲介方法を、ネットワークを介して複数の端末と通信を行うコンピュータシステムに実施させるプログラムであって、前記コンピュータシステムを構成する処理装置に対して、
何れかの受注希望者が操作する端末から、旅行の目的地及び旅行期間を特定する情報を受信する毎に、これら情報及びその受注希望者の識別情報からなるレコードを第１記憶部に格納させ、
何れかの発注希望者が操作する端末から、行為履行地及び期限を特定する情報を受信すると、これら行為履行地及び期限に適合するレコードを前記第１記憶部から抽出して、そのリストを前記発注希望者が操作する端末へ応答させ、
前記リストが送信された端末から、何れかのレコードを特定する情報及び行為の条件を受信すると、特定されたレコードに含まれる識別情報が示す受注希望者に対して、その条件を承諾する否かを問い合わせるメッセージを送信させ、
前記メッセージが送信された受注希望者が操作する端末から、前記条件を承諾する情報を受信すると、当該条件の下に成立した行為代行契約の内容を、第２記憶部に格納させる
ことを特徴とするプログラム。
【請求項８】
旅行へ出る予定があり且つ旅行先で他人のために所定行為の代行を行う用意がある受注希望者と、他人に特定場所での所定行為の代行を依頼したい発注希望者との間での行為代行契約の締結を支援する個人間行為代行契約仲介方法を、ネットワークを介して複数の端末と通信を行うコンピュータシステムに実施させるプログラムであって、前記コンピュータシステムを構成する処理装置に対して、
何れかの発注希望者が操作する端末から、行為履行地及び期限を特定する情報を受信する毎に、これら情報及びその発注希望者の識別情報からなるレコードを第１記憶部に格納させ、
何れかの受注希望者が操作する端末から、旅行の目的地及び旅行期間を特定する情報を受信すると、これら旅行の目的地及び旅行期間に適合するレコードを前記第１記憶部から抽出して、そのリストを前記受注希望者が操作する端末へ応答させ、
前記リストが送信された端末から、何れかのレコードを特定する情報及び行為代行の条件を受信すると、特定されたレコードに含まれる識別情報が示す発注希望者に対して、その条件を承諾する否かを問い合わせるメッセージを送信させ、
前記メッセージが送信された発注希望者が操作する端末から、前記条件を承諾する情報を受信すると、当該条件の下に成立した行為代行契約の内容を、第２記憶部に格納させる
ことを特徴とするプログラム。
【発明の詳細な説明】
【０００１】
【発明の属する技術分野】
本発明は、何れかの目的地へ旅行しようとする個人，及び、他者に対して特定場所にて所定行為の代行を依頼しようとする個人に対して、インターネット等のネットワークを介した行為代行契約締結の機会を提供する個人間行為代行契約仲介方法，及び、ネットワークを介して端末と通信可能なコンピュータに対してこのような個人間行為代行契約仲介方法を実施させるためのプログラムに、関する。
【０００２】
【従来の技術】
近年のネットワーク化に伴い、情報や物流の地域的格差は小さくなっているので、人は、自宅や職場に居ながら、国内の各地方や諸外国の情報や物品を得ることができる。しかしながら、ネットワークを介して得られる情報には限りがある。しかも、情報を得るだけでは、その地に対して積極的に作用を及ぼすことはできない。また、地域間での物価の格差や、通貨レートの偏りや、各国毎の税制の相違に起因して、同じ商品であっても、場所毎にその販売価格が異なる場合がある。しかも、商品の種類によっては、特定場所でしか購入できない物もある。そのため、人は、旅行に出て、旅行先において様々な行為（生の情報の直接的感得，物や人に対して直接的作用を及ぼす動作，その地でしか買えない商品の購入，自己の居住地よりも安い価格で販売されている商品の購入，等）を行うのである。
【０００３】
但し、旅行に出るには費用と時間が掛かるので、これらに余裕のない人は、おいそれと自ら旅行に出られるわけではない。そのため、或る場所において或る行為を行いたいという欲求がある人は、自らがその地へ旅行することができないのであれば、その地へ旅行する知人を捜して、その行為の代行を依頼することにより、その欲求を満足させることになる。
【０００４】
【発明が解決しようとする課題】
しかしながら、このような人がその欲求を抱いた時点で、その地へ旅行する知人が直ぐに見つかることは、希である。仮に、そのような知人が見つかったとしても、知人という人的関係の維持を考慮すると、有償で依頼するのも、無償で依頼するのも、憚られる場合がある。
【０００５】
一方、インターネット上の掲示板において、その地へ旅行する他人を募り、その他人に対してその行為を依頼することも可能であるが、掲示板では通常発言者は匿名で発言を行うので、行為代行契約の成立性には問題がある。そのため、行為自体に費用が掛かる場合や手数料を取り決めた場合には、その授受に関して当事者間でトラブルが生じる場合がある。
【０００６】
本発明は、これらの問題点に鑑みてなされたものであり、その課題は、何れかの目的地へ旅行する予定があり且つ他者の為に所定行為を代行する用意がある個人，及び、他者に対して特定場所にて所定行為の代行を依頼したい個人を、ネットワークを介して広く募り、行為代行について合意できた個人間でその行為代行契約を締結させることができる個人間行為代行契約仲介方法，及び、ネットワークを介して端末と通信可能なコンピュータに対してこのような個人間行為代行契約仲介方法を実施させるためのプログラムを、提供することである。
【０００７】
【課題を解決するための手段】
上記課題を解決するために案出された本発明による個人間行為代行契約仲介方法の第１の態様は、旅行へ出る予定があり且つ旅行先で他人のために所定行為の代行を行う用意がある受注希望者と、他人に特定場所での所定行為の代行を依頼したい発注希望者との間での行為代行契約の締結を支援する個人間行為代行契約仲介方法であって、ネットワークを介して複数の端末と通信を行うコンピュータシステム内において、記憶媒体に格納されたプログラムに従って各種制御を実行する処理装置が、何れかの受注希望者が操作する端末から、旅行の目的地及び旅行期間を特定する情報を受信する毎に、これら情報及びその受注希望者の識別情報からなるレコードを第１記憶部に格納し、何れかの発注希望者が操作する端末から、行為履行地及び期限を特定する情報を受信すると、これら行為履行地及び期限に適合するレコードを前記第１記憶部から抽出して、そのリストを前記発注希望者が操作する端末へ応答し、前記リストが送信された端末から、何れかのレコードを特定する情報及び行為の条件を受信すると、特定されたレコードに含まれる識別情報が示す受注希望者に対して、その条件を承諾する否かを問い合わせるメッセージを送信し、前記メッセージが送信された受注希望者が操作する端末から、前記条件を承諾する情報を受信すると、当該条件の下に成立した行為代行契約の内容を、第２記憶部に格納することを、特徴とする。
【０００８】
このように構成されると、受注希望者が自ら予定する旅行の目的地及び旅行期間を特定する情報をコンピュータシステムに送信する毎に、それらの情報及び受注希望者の識別情報からなるレコードが第１記憶部に格納されるので、第１記憶部には、様々な場所に様々な時期に旅行する受注希望者についての情報が蓄積される。従って、このように蓄積された後で、何れかの発注希望者が、自ら希望する行為の履行地及び期限をコンピュータシステムに送信すると、その行為履行地と一致する場所へその期限までに旅行する１又は複数の受注希望者についてのレコードが第１記憶部から抽出され、その情報を一覧したリストが応答される。このリスト中から発注希望者が何れかの受注希望者を選択し、自らが希望する行為の内容を詳細に特定する条件をコンピュータシステムに通知すると、コンピュータシステムが、選択された受注希望者に対して、その条件を承諾するか否かを問い合わせるメッセージを送信する。そして、受注希望者がその条件を承諾すれば、その条件について発注希望者及び受注希望者の合意がなされたことになるので、原則的に、行為代行契約が成立したことになる。そこで、受注希望者がその条件を承諾する旨をコンピュータシステムに通知すると、コンピュータシステムは、その行為代行契約の内容を第２記憶部に記録する。このように、本発明によれば、発注希望者は、ネットワークを介して、自ら希望する行為を代行してくれる受注希望者を、探すことができる。また、受注希望者は、ネットワークを介して、自ら予定する旅行先での行為代行を求める発注希望者を、広く募ることができる。
【０００９】
上記課題を解決するために案出された本発明による個人間行為代行契約仲介方法の第２の態様は、旅行へ出る予定があり且つ旅行先で他人のために所定行為の代行を行う用意がある受注希望者と、他人に特定場所での所定行為の代行を依頼したい発注希望者との間での行為代行契約の締結を支援する個人間行為代行契約仲介方法であって、ネットワークを介して複数の端末と通信を行うコンピュータシステム内において、記憶媒体に格納されたプログラムに従って各種制御を実行する処理装置が、何れかの発注希望者が操作する端末から、行為の履行地，期限及び条件を特定する情報を受信する毎に、これら情報及びその発注希望者の識別情報からなるレコードを第１記憶部に格納し、何れかの受注希望者が操作する端末から、旅行の目的地及び旅行期間を特定する情報を受信すると、これら旅行の目的地及び旅行期間に適合するレコードを前記第１記憶部から抽出して、そのリストを前記受注希望者が操作する端末へ応答し、前記リストが送信された端末から、何れかのレコードを特定する情報を受信すると、特定されたレコードに含まれる識別情報が示す発注希望者に対して、そのレコード中の条件を承諾する否かを問い合わせるメッセージを送信し、前記メッセージが送信された発注希望者が操作する端末から、前記条件を承諾する情報を受信すると、当該条件の下に成立した行為代行契約の内容を、第２記憶部に格納することを、特徴とする。
【００１０】
このように構成されると、発注希望者が自ら希望する行為の履行地，期限及び条件を特定する情報をコンピュータシステムに送信する毎に、それらの情報及び受注希望者の識別情報からなるレコードが第１記憶部に格納されるので、第１記憶部には、様々な期限を指定した様々な行為履行地での行為を希望する発注希望者についての情報が蓄積される。従って、このように蓄積された後で、何れかの受注希望者が、自ら予定する旅行の目的地及び旅行期間をコンピュータシステムに送信すると、その目的地と一致する場所でのその旅行期間で間に合う行為を希望する発注希望者についてのレコードが第１記憶部から抽出され、その情報を一覧したリストが応答される。このリスト中から受注希望者が何れかの発注希望者を選択すると、コンピュータシステムが、選択された発注希望者に対して、その条件を承諾するか否かを問い合わせるメッセージを送信する。そして、発注希望者がその条件を承諾すれば、その条件について発注希望者及び受注希望者の合意がなされたことになるので、原則的に、行為代行契約が成立したことになる。そこで、発注希望者がその条件を承諾する旨をコンピュータシステムに通知すると、コンピュータシステムは、その行為代行契約の内容を第２記憶部に記録する。
このように、本発明によれば、受注希望者は、ネットワークを介して、自ら予定する旅行先での行為代行を求める発注希望者を、探すことができる。また、発注希望者は、ネットワークを介して、自ら希望する行為を代行してくれる受注希望者自を、広く募ることができる。
【００１１】
なお、本発明において「旅行」とは、海外旅行及び国内旅行、観光旅行及びビジネス旅行、宿泊旅行及び日帰り旅行、交通機関を利用した旅行及び徒歩旅行を全て含む。即ち、「旅行」には、その者の生活圏の外に外出する一切の行為が含まれる。
【００１２】
【発明の実施の形態】
以下、図面に基づいて、本発明による個人間行為代行契約仲介方法の実施の形態を、説明する。
（システム構成）
図１は、上記個人間行為代行契約仲介方法が実現されているネットワークシステムの概略構成を示すブロック図である。この図１に示されるように、このネットワークシステムは、コンピュータシステムとしての１台のサーバ装置１と、複数のユーザ端末２（図１においては２台［２ａ，２ｂ］のみ図示）とから、構成されている。このサーバ装置１は、インターネット接続サービス（ＩＳＰ）及び有料コンテンツ提供サービスを実施する業者（以下、「プロバイダ」と称する）によって運営されており、このサービス提供者と予め契約を結んでいる会員（以下、単に「会員」と称する）が操作するユーザ端末２に対してこれら各サービスを実施するとともに、アクセス資格を問わずに無料ウェッブコンテンツ（ＨＴＭＬデータ，その他のデジタルコンテンツ）をインターネット上に公開する装置である。なお、図１においては、説明の都合上、サーバ装置１を１台のコンピュータとして図示したが、サーバ装置１が持つとしている各機能が、夫々、サービス提供者によって運営されている別々のコンピュータに分担されていても良いし、個々の機能が複数のコンピュータに分散されて実現されても良い。
【００１３】
図１に示された各ユーザ端末２ａ，２ｂは、このサービス提供者と予め契約を結んでいる会員が操作するユーザ端末であるので、サーバ装置１に対して、インターネットＮを介して（ゲートウェイ接続にて）接続できるとともに、アクセスポイント４を介して（アクセスポイント接続にて）接続できる。また、各ユーザ端末２ａ，２ｂは、他の一般的なウェッブサーバ装置に対して、インターネットＮを介して（若しくは、アクセスポイント４経由で接続したサーバ装置１によるインターネット接続サービスを通じて）、アクセスすることができる。
【００１４】
各ユーザ端末２ａ，２ｂ（図１においてはユーザ端末２ｂの内部図示は省略）は、インターネット接続可能なコンピュータであり、例えば、互いにバスＢによって接続されたＣＰＵ［Ｃｅｎｔｒａｌ　ｐｒｏｃｅｓｓｉｎｇ　ｕｎｉｔ］２０，通信アダプタ２１．ディスプレイ２２，入力装置２３，ＲＡＭ［Ｒａｎｄｏｍ　ａｃｃｅｓｓ　ｍｅｍｏｒｙ］２４及びハードディスク２５から、構成されている。これらのうち、ＣＰＵ２０は、このユーザ端末２全体を制御する中央処理装置である。また、通信アダプタ２１は、アクセスポイント４又はインターネットＮに（他のＩＳＰ経由で）繋がる回線との物理インターフェースをなす装置であり、具体的には、モデム，ＴＡ［ＴｅｒｍｉｎａｌＡｄａｐｔｅｒ］，ルータ等である。ディスプレイ２２は、ＣＰＵ２０によって生成された画像を表示する表示装置である。入力装置２３は、キーボード及びマウスからなる。ＲＡＭ２４は、ＣＰＵ２０が各種プログラムを実行するに際しての作業領域が展開される主記憶装置である。
【００１５】
ハードディスク２５は、ＣＰＵ２０によって読み出されて実行される各種プログラムを、格納している。このハードディスク２５が格納しているプログラムには、通信アダプタ２１を介してサーバ装置１や他のウェッブサーバ装置３との間でＴＣＰ／ＩＰ［Ｔｒａｎｓｍｉｓｓｉｏｎ　Ｃｏｎｔｒｌ　Ｐｒｏｔｏｃｏｌ／Ｉｎｔｅｒｎｅｔ　Ｐｒｏｔｏｃｏｌ］に従った通信を行う機能を含むオペレーティングシステム（図示略），このオペレーティングシステム２６の通信機能を用いてサーバ装置１に対して各種メッセージを送信するとともにこれらメッセージに応じてサーバ装置１が送信して来たウェッブコンテンツ（ＨＴＭＬ［Ｈｙｐｅｒ　Ｔｅｘｔ　Ｍａｒｋｕｐ　Ｌａｎｇｕａｇｅ］データ等からなる画面データ）を解釈して表示するブラウザ２６，ＳＭＴＰ［Ｓｉｍｐｌｅ　Ｍａｉｌ　Ｔｒａｎｓｆｅｒ　Ｐｒｏｔｏｃｏｌ］及びＰＯＰ［Ｐｏｓｔ　Ｏｆｆｉｃｅ　Ｐｒｏｔｏｃｏｌ］に従ったメールの送受信を行うメーラ２７を、含む。上記ブラウザ２６やメーラ２７は、一般的に市販されているプログラムであるので、その処理内容についての詳細な説明は省略する。
【００１６】
サーバ装置１は、ここでは一台のコンピュータであるとして説明するので、互いにバスＢによって接続されたＣＰＵ１０，通信アダプタ１１，ＲＡＭ１２及びハードディスク１３から、構成されている。これらのうち、ＣＰＵ１０は、このサーバ装置１全体の制御を行う中央処理装置である。また、ＲＡＭ１２は、ＣＰＵ１０が各種処理を実行するに際しての作業領域が展開される主記憶装置である。また、通信アダプタ１１は、インターネットＮが構築されている回線（インターネットバックボーン）及びアクセスポイント４に繋がる回線（ＷＡＮ［Ｗｉｄｅ　Ａｒｅａ　Ｎｅｔｗｏｒｋ］）とのインターフェースをなす通信装置である。
【００１７】
ハードディスク１３は、ＣＰＵ２０によって読み出されて実行される各種プログラム１３０及び各種データを格納している記憶媒体である。このハードディスク１３が格納している各種プログラム１３０には、このサーバ装置１の本来の機能であるインターネット接続サービスを実施するためのシステム（図示略），有料コンテンツ提供サービスを実施するためのシステム（図示略），これらのサービスを会員に対して実施する際にアクセス元会員の認証を行うための認証システム１２０，各会員に対してサービスに対する会費を課金するために元々プログラミングされた課金システム１２１の他、本発明を実施するためにプログラミングされた個人間行為代行契約仲介システム１２２，個人間決済仲介システム１２３及び発送管理システム１２４が、含まれている。
【００１８】
この個人間行為代行契約仲介システム１２２は、具体的には、一般的なＷＷＷサーバプログラム１２２０と、このＷＷＷサーバプログラム１２２０が所定ＵＲＬを指定したＨＴＴＰリクエストメッセージを受信した時に起動される複数のＣＧＩプログラム又は又はＪａｖａ（米国、その他の国における米国Ｓｕｎ　Ｍｉｃｒｏｓｙｓｔｅｍｓ社の商標または登録商標）サーブレットとから、構成されている。
【００１９】
なお、上記した各種プログラムは、実際には、ハードディスク１３からＲＡＭ１２上に順次ページングされて実行されるが、図１では、ＲＡＭ１２の容量が非常に大きいものであるとの想定の下で、これら各種プログラムの全てがＲＡＭ１２上に展開された状態が示されている（但し、インターネット接続サービスを実施するためのシステム及び有料コンテンツ提供サービスを実施するためのシステムについては、図示略）。
【００２０】
また、ハードディスク１３が格納している各種データには、ＷＷＷサーバ１２２０が各ユーザ端末２からのＨＴＴＰリクエストメッセージに応じて直接（各ＣＧＩによることなく）読み出して応答することができる静的なウェッブページ（図９に示す認証画面，図１０に示すメニュー画面，図１１や図１２に示すマップ，等）を表示するためにウェッブページ領域１３１に格納されているＨＴＭＬデータ１３１０，及び、図示せぬインターネット接続サービスを実施するためのシステムや有料コンテンツ提供サービスを実施するためのシステムによってレコードの登録がなされて認証システム１２０によって参照される会員データベース（各会員の会員ＩＤ，パスワード及び電子メールアドレスを相互に対応付けて記憶したデータベース）１３２の他、個人間代行契約システム１２２によってレコードの登録がなされる注文情報データベース１３３，旅行情報データベース１３４及び契約内容データベース１３５が、含まれている。
（処理内容）
次に、ハードディスク１３からＲＡＭ１２上に読み出された個人間行為代行契約仲介システム１２２に従ってＣＰＵ１０が実行する処理の内容を、図２乃至図８のフローチャート，及び、図９乃至図２０の画面例を参照して、時系列順に説明する。
【００２１】
図２の処理は、何れかのユーザ端末２ａ、２ｂ上で実行されているブラウザ２６が、会員による入力装置２３への操作に従って、特定ＵＲＬを指定したＨＴＴＰリクエストメッセージを、サーバ装置１上のＷＷＷサーバ１２２０へ送信し、このＷＷＷサーバ１２２０が、個人間代行契約仲介システム１２２を構成するＣＧＩプログラム又はサーブレットを起動することによって、スタートする。
【００２２】
スタート後最初のＳ００１では、個人間行為代行契約仲介システム１２２は、認証システム１２０に対して、認証処理を依頼する。認証処理を依頼された認証システム１２０は、図９に示す認証画面を表示させるためのＨＴＭＬデータを、ブラウザ２６へ送信する。このＨＴＭＬデータには、図９に示されるＩＤ欄５１，パスワード欄５２及び「ＯＫ」ボタン５３を画面中に表示させるとともに、「ＯＫ」ボタン５３がクリックされた時にＩＤ欄５１及びパスワード欄５２に夫々入力されている二つの文字列を会員ＩＤ及びパスワードとして認証システム１２０へ送信させるための設定（フォームタグ）が、組み込まれている。認証システム１２０は、このＨＴＭＬデータを送信したブラウザ２６から会員ＩＤ及びパスワードを受信すると、受信した会員ＩＤ及びパスワードを会員データベース１３２内に登録されている会員ＩＤ及びパスワードの全組合せと照合する。そして、認証システム１２０は、受信した会員ＩＤ及びパスワードの組合せが会員データベース１３２内に登録されていない場合には、エラー画面（図示略）を表示させるためのＨＴＭＬデータをブラウザ２６へ送信して、会員ＩＤ及びパスワードが再度送られてくるのを待ち、受信した会員ＩＤ及びパスワードの組合せが会員データベース１３２内に登録されている場合には、個人間行為代行契約仲介システム１２２に認証がなされた旨を応答する。
【００２３】
このようにして会員によるアクセスであることが確認されると、個人間行為代行契約仲介システム１２２は、次のＳ００２において、図１０に示すメニュー画面を表示させるためのＨＴＭＬデータを、ブラウザ２６へ送信する。このＨＴＭＬデータには、上記発注希望者によってクリックされることを予定されている「注文内容を登録する」ボタン５４及び「注文者リストの中から選ぶ」ボタン５５，並びに、上記受注希望者によってクリックされることを予定されている「旅行情報を登録する」ボタン５６及び「発注者リストの中から選ぶ」ボタン５７をを画面中に表示させるとともに、各ボタン５４〜５７がクリックされた時に夫々に対応する処理を起動させるための設定（アンカータグ）が、組み込まれている。その為、利用受付ＣＧＩ１２２１は、次のＳ００３において、クリックされた各ボタン５４〜５７に対応したＵＲＬを指定したブラウザ２６からのＨＴＴＰリクエストメッセージを、待つ。
【００２４】
そして、このようなＨＴＴＰリクエストメッセージを受信すると、個人間行為代行契約仲介システム１２２は、そのメッセージに含まれるＵＲＬが「注文内容を登録する」ボタン５４に対応していれば処理をＳ００４へ進め、「受注者リストの中から選ぶ」ボタン５５に対応していれば処理をＳ００５へ進め、「旅行情報を登録する」ボタン５６に対応していれば処理をＳ００６へ進め、「発注者リストの中から選ぶ」ボタン５７に対応していれば処理をＳ００７へ進める。
【００２５】
Ｓ００６では、個人間行為代行契約仲介システム１２２は、旅行情報登録処理を実行する。図３は、Ｓ００６にて実行される旅行情報登録処理サブルーチンを示すフローチャートである。このサブルーチンに入って最初のＳ１０１では、個人間行為代行契約仲介システム１２２は、リクエスト元ブラウザ２６に対して、図示せぬ旅行情報入力フォームを表示させるためのＨＴＭＬデータを送信する。このＨＴＭＬデータには、各項目の情報が入力されるべき多数の欄及び「送信」ボタンを画面に表示させるとともに、この「送信」ボタンがクリックされた時に各欄に入力された情報を個人間行為代行契約仲介システム１２２へ送信させるための設定（フォームタグ）が、組み込まれている。この旅行情報入力フォームによって入力される項目は、旅行先の国（自国を含む），利用空港，旅行先地方（国内の州，準州，テリトリー，郡，都道府県，市町村，等），旅行期間，最終受注受付日，会員ＩＤ，購入可能商品の購入価格の上限及び下限（代行可能な行為が物品購入の場合），希望する商品輸送手段（代行可能な行為が物品購入の場合），受付可能な商品購入代金の支払方法及び通貨（代行可能な行為が物品購入の場合），行為代行の条件，その他の条件である（旅行の目的地及び旅行期間を特定する情報，並びに、受注希望者の識別情報に相当）。
【００２６】
次のＳ１０２では、個人間行為代行契約仲介システム１２２は、Ｓ１０１にて送信したＨＴＭＬデータを受信したブラウザ２６が、旅行情報入力フォームに入力された情報を送信して来るのを、待つ。そして、情報を受信すると、個人間行為代行契約仲介システム１２２は、Ｓ１０３において、受信した情報に一意の識別子（受注コード）を付したレコードを、第１記憶部としての旅行情報データベース１３４に格納する。
【００２７】
次のＳ１０４では、個人間行為代行契約仲介システム１２２は、受注希望者であるアクセス元会員（Ｓ００１にて認証された会員）に対して、所定の申込料を課金する様、課金システム１２１に対して指示する。Ｓ１０４を完了すると、個人間行為代行契約仲介システム１２２は、この旅行情報登録処理サブルーチンから図２のメインルーチンに戻って、全処理を終了する。
【００２８】
一方、Ｓ００７では、個人間行為代行契約仲介システム１２２は、発注処理を実行する。図４は、Ｓ００７にて実行される発注処理サブルーチンを示すフローチャートである。
【００２９】
このサブルーチンに入って最初のＳ２０１では、個人間行為代行契約仲介システム１２２は、履行地選択処理を実行する。これは、発注希望者が他者に依頼する行為の履行地を特定するための処理である。具体的には、個人間行為代行契約仲介システム１２２は、最初に、図１１に示す世界地図を表示させるためのＨＴＭＬデータを、リクエスト元ブラウザ２６へ送信する。このＨＴＭＬデータには、北米，南米，欧州，アジア，アフリカ，オセアニア，日本の各地域毎にエリアが設定されている世界地図を表示させるとともに、各エリアがクリックされた時にその地域の詳細地図を要求させる設定が、組み込まれている。そして、何れかの地域の詳細地図を要求するＨＴＴＰメッセージを受信すると、個人間行為代行契約仲介システム１２２は、その地域の詳細地図を表示させるためのＨＴＭＬデータを、リクエスト元ブラウザ２６へ送信する。このＨＴＭＬデータには、図１２に示すように、その地域に含まれる国毎にエリアが設定されている地図を表示させるとともに、各エリアがクリックされた時にその国を特定するメッセージを送信させる設定が、組み込まれている（なお、世界地図において日本がクリックされた場合には、日本の各地方毎にエリアが設定されている地図を表示させるためのＨＴＭＬデータを、リクエスト元ブラウザ２６へ、送信する。また、アメリカやロシアのように国自体が広くて一般的観光地が分散している国が特定された場合には、更に、その国内の各地方を選択させるためのＨＴＭＬデータを、リクエスト元ブラウザ２６へ送信する）。そして、何れかの国又は地方を特定するメッセージ（行為履行地を特定する情報）を受信すると、個人間行為代行契約仲介システム１２２は、その国又は地方を履行地として選択する。
【００３０】
次のＳ２０２では、個人間行為代行契約仲介システム１２２は、期限設定を実行する。これは、発注希望者が他者に依頼する行為の履行期限を特定するための処理である。具体的には、個人間行為代行契約仲介システム１２２は、図１３に示すように、現在日時を含む月以降の月別カレンダー（例えば１２箇月分）を表示させるためのＨＴＭＬデータを動的に生成し、このＨＴＭＬデータをリクエスト元ブラウザ２６へ送信する。なお、このＨＴＭＬデータには、カレンダー上の何れかの日がクリックされた時にその月日を特定するメッセージを送信させる設定が、組み込まれている。そして、何れかの月日を特定するメッセージ（期限を特定する情報）を受信すると、個人間行為代行契約仲介システム１２２は、その月日を期限として設定する。
【００３１】
次のＳ２０３では、個人間行為代行契約仲介システム１２２は、Ｓ２０１にて選択された履行地を旅行先として含み、且つ、その旅行期間がＳ２０２にて設定された期限以前であり、且つ、その最終受注受付日が処理当日以降である全てのレコードを、旅行情報データベース１３４から抽出する。
【００３２】
次のＳ２０４では、個人間行為代行契約仲介システム１２２は、Ｓ２０３にて抽出した全レコードに基づいて受注者リスト画面を表示させるためのＨＴＭＬデータを生成する。この受注者リスト画面は、図１４に示すように、各レコードの内容を表形式にて一覧表示した画面である。なお、このＨＴＭＬデータには、各レコードの受注コードがクリックされた時に、その受注コードを特定するメッセージを送信させる設定が、組み込まれている。
【００３３】
次のＳ２０５では、個人間行為代行契約仲介システム１２２は、Ｓ２０４にて生成したＨＴＭＬデータを、リクエスト元ブラウザ２６へ送信する。
【００３４】
次のＳ２０６では、個人間行為代行契約仲介システム１２２は、Ｓ２０５にて送信したＨＴＭＬデータを受信したブラウザ２６が何れかの受注コードを特定したメッセージを送信してくるのを、待つ。そして、そのようなメッセージを受信すると、個人間行為代行契約仲介システム１２２は、処理をＳ２０７へ進める。
【００３５】
Ｓ２０７では、個人間行為代行契約仲介システム１２２は、Ｓ２０６にて受信したメッセージにおいて指定されている受注コードを持つレコードを旅行情報データベース１３４から読み込む。そして、読み込んだレコード中の会員ＩＤを組み込んだ問い合わせフォームを表示させるためのＨＴＭＬデータを、リクエスト元ブラウザ２６へ送信する。この問い合わせフォームは、図１５に示すように、Ｓ２０１にて選択された行為履行地の国名を表示する欄５８，発注希望者が希望する行為履行地の詳細な地名を入力するための欄５９，Ｓ２０２にて設定された期限を表示する欄６０，発注希望者が依頼しようとする行為（物品購入，その他の行為［ＡＣＴＩＶＩＴＹ］）を選択するための「物品購入」ボタン６１及び「ＡＣＴＩＶＩＴＹ」ボタン６２，発注希望者が希望する発送方法（プロバイダが指定する手段を用いるか、当事者間で別途取り決める手段を用いるか）を選択するための「プロバイダ指定」ボタン６３及び「当事者間取引」ボタン６４，発注希望者が希望する決済通貨（行為履行地の現地通貨又は自国通貨）を選択するための「現地通貨」ボタン６５及び「日本円」ボタン６６，希望者が希望する費用（受注者に支払うべき物品購入代金，購入手数料，行為対価）の支払い方法（クレジットカード，銀行振り込み，代引き，等）を選択するためのドロップダウンリストボックス６７，発注希望者が希望する諸条件を入力するための欄６８，その他の別記事項を入力するための欄６９，「物品購入」ボタン６１がクリックされた場合に購入対象物品を特定するブランド名を入力するための欄６１０，品番を入力するための欄６１１，色を入力するための欄６１２，サイズを入力するための欄６１３，個数を入力するための欄６１４，概算販売価格を入力するための欄６１５，購入価格の上限を入力するための欄６１６，及び、購入価格の下限を入力するための欄６１７，「ＡＣＴＩＶＩＴＹ」ボタン６２がクリックされた場合に依頼対象行為を具体的に入力するための欄６２０，及び、行為対価を入力するための欄６２１，並びに、「送信」ボタン７０が、含まれている。そして、このＨＴＭＬデータには、「送信」ボタン７０がクリックされた場合に、フォーム中の各アイテムに設定された情報を送信させる設定（フォームタグ）が、組み込まれている。
【００３６】
次のＳ２０８では、個人間行為代行契約仲介システム１２２は、Ｓ２０７にて送信したＨＴＭＬデータを受信したブラウザ２６が上記情報を含むメッセージを送信して来るのを、待つ。そして、そのようなメッセージを受信すると、個人間行為代行契約仲介システム１２２は、処理をＳ２０９へ進める。
【００３７】
Ｓ２０９では、個人間行為代行契約仲介システム１２２は、受信したメッセージに含まれる情報に基づいて、その内容を組み込んだ受注者用契約合意書を生成する。図１６は、この受注者用契約合意書の一例である。図１６に示されるように、この受注者用契約合意書には、発注希望者によって問い合わせフォームに設定された行為代行の諸条件及び一意の依頼コードが書換不能な態様で表示されているとともに、受注希望者がサインの代わりとして自己のメンバーＩＤ及びメールアドレスを書き込むことができる欄が含まれている。そして、個人間行為代行契約仲介システム１２２は、生成した受注者用契約合意書を添付した注文メール（条件を承諾するか否かを問い合わせるメッセージ）を、Ｓ２０７にて読み込んだレコード中の会員ＩＤに対応して会員データベース１３２に登録されているメールアドレス宛に、送信する。
【００３８】
次のＳ２１０では、個人間行為代行契約仲介システム１２２は、Ｓ２０９にて送信した注文メールに対する応答（電子メール）を待つ。そして、応答がないまま予め設定された待機時間が経過した場合には、個人間行為代行契約仲介システム１２２は、受注希望者によって契約が拒絶されたものとみなして、Ｓ２１１にて発注希望者及びＳ２０９にて注文メールを送信した相手に対して契約不成立の旨を通知（電子メール送信）して、この発注処理サブルーチンから図２のメインルーチンに戻って、全処理を終了する。なお、Ｓ２１０にて所定の待機時間内に受注希望者からの応答があった場合でも、その応答に受注者用契約合意書が添付されていなかったり、添付されていた受注者用契約合意書に当該受注希望者の会員ＩＤ及びメールアドレスが記入されていなかった場合には、個人間行為代行契約仲介システム１２２は、一旦、エラーメッセージをＳ２０９にて注文メールを送信した相手に送信することによって、会員ＩＤ及びメールアドレスが記入された受注者用契約合意書の送信を促す。そして、再度、受注者用契約合意書が添付されていない応答を受信した場合や、再受信した応答に添付されていた受注者用契約合意書に当該受注希望者の会員ＩＤ及びメールアドレスが記入されていなかった場合には、個人間行為代行契約仲介システム１２２は、契約が拒絶されたものとみなして、Ｓ２１１にて発注希望者及びＳ２０９にて注文メールを送信した相手に対して契約不成立の旨を通知（電子メール送信）して、この発注処理サブルーチンから図２のメインルーチンに戻って、全処理を終了する。
【００３９】
これに対して、Ｓ２１０にて所定の待機時間内に受注希望者から応答があり、且つ、その応答に、当該受注希望者の会員ＩＤ及びメールアドレスが記入された受注者用契約合意書（条件を承諾する情報）が添付されている場合には、個人間行為代行契約仲介システム１２２は、受注希望者によって契約内容が承諾されたものとして、処理をＳ２１２へ進める。
【００４０】
Ｓ２１２では、個人間行為代行契約仲介システム１２２は、受注希望者から受信した受注者用契約合意書に基づいて、その内容を組み込んだ発注者用契約合意書を生成する。図１７は、この発注者用契約合意書の一例である。図１７に示されるように、この発注者用契約合意書には、受注者用契約合意書に記述されていた行為代行の諸条件，及び、その依頼コードが付された契約内容がその受注希望者によって承諾（受注）された旨が書換不能な態様で表示されているとともに、発注希望者がサインの代わりとして自己のメンバーＩＤ及びメールアドレスを書き込むことができる欄が含まれている。そして、個人間行為代行契約仲介システム１２２は、生成した発注者用契約合意書を添付した確認メール（条件を承諾するか否かを問い合わせるメッセージ）を、Ｓ００１にて認証した発注希望者のメンバーＩＤに対応して会員データベース１３２に登録されているメールアドレス宛に、送信する。
【００４１】
次のＳ２１３では、個人間行為代行契約仲介システム１２２は、Ｓ２１２にて送信した確認メールに対する応答（電子メール）を待つ。そして、応答がないまま予め設定された待機時間が経過した場合には、個人間行為代行契約仲介システム１２２は、発注希望者によって契約がキャンセルされたものとみなして、Ｓ２１４にて受注希望者及びＳ２１２にて確認メールを送信した相手に対して契約不成立の旨を通知（電子メール送信）して、この発注処理サブルーチンから図２のメインルーチンに戻って、全処理を終了する。なお、Ｓ２１３にて所定の待機時間内に発注希望者からの応答があった場合でも、その応答に発注者用契約合意書が添付されていなかったり、添付されていた発注者用契約合意書に当該発注希望者の会員ＩＤ及びメールアドレスが記入されていなかった場合には、個人間行為代行契約仲介システム１２２は、一旦、エラーメッセージをＳ２１２にて確認メールを送信した相手に送信することによって、会員ＩＤ及びメールアドレスが記入された発注者用契約合意書の送信を促す。そして、再度、発注者用契約合意書が添付されていない応答を受信した場合や、再受信した応答に添付されていた発注者用契約合意書に当該発注希望者の会員ＩＤ及びメールアドレスが記入されていなかった場合には、個人間行為代行契約仲介システム１２２は、契約がキャンセルされたものとみなして、Ｓ２１４にて受注希望者及びＳ２１２にて確認メールを送信した相手に対して契約不成立の旨を通知（電子メール送信）して、この発注処理サブルーチンから図２のメインルーチンに戻って、全処理を終了する。
【００４２】
これに対して、Ｓ２１３にて所定の待機時間内に発注希望者から応答があり、且つ、その応答に、当該発注希望者の会員ＩＤ及びメールアドレスが記入された発注者用契約合意書（条件を承諾する情報）が添付されている場合には、個人間行為代行契約仲介システム１２２は、発注希望者によって契約内容が承諾されたものとして、処理をＳ２１５へ進める。
【００４３】
Ｓ２１５に処理が進んだ段階においては、受注者用契約合意書及び発注者用契約合意書に共通して記述された行為代行の諸条件が、受注希望者及び発注希望者の双方によって合意されたことになるので、民法の規定により、それら諸条件の下での行為代行の契約が成立する。そこで、Ｓ２１５では、個人間行為代行契約仲介システム１２２は、Ｓ２１０にて受注希望者から受信した受注者用契約合意書とＳ２１３にて発注希望者から受信した発注者用契約合意書とをマージすることにより、図１８に示す成立済み契約合意書を生成し、これを添付した電子メールを、受注者及び発注者の双方のメールアドレス宛に、送信する。
【００４４】
次のＳ２１６では、個人間行為代行契約仲介システム１２２は、Ｓ２１５にて送信した成立済み契約合意書の内容を、第２記憶部としての契約内容データベース１３５に登録する。
【００４５】
次のＳ２１７では、個人間行為代行契約仲介システム１２２は、発注者に対して所定の契約仲介料を課金する様、課金システム１２１に指示する。その後、個人間行為代行契約仲介システム１２２は、この発注処理サブルーチンから図２のメインルーチンに戻って、全処理を終了する。
【００４６】
一方、Ｓ００４では、個人間行為代行契約仲介システム１２２は、注文内容登録処理を実行する。図６は、Ｓ００４にて実行される注文内容登録処理サブルーチンを示すフローチャートである。このサブルーチンに入って最初のＳ３０１では、個人間行為代行契約仲介システム１２２は、リクエスト元ブラウザ２６に対して、注文内容入力フォームを表示させるためのＨＴＭＬデータを送信する。この注文内容入力フォームの内容は、受注希望者の会員ＩＤが表示されないことを除き、Ｓ２０７にて送信される図１５に示す問い合わせフォームと全く同じである。
【００４７】
次のＳ３０２では、個人間行為代行契約仲介システム１２２は、Ｓ３０１にて送信したＨＴＭＬデータを受信したブラウザ２６が、注文内容入力フォームに入力された情報（行為の履行地，期限及び条件を特定する情報）を送信して来るのを、待つ。そして、情報を受信すると、個人間行為代行契約仲介システム１２２は、Ｓ３０３において、受信した情報に一意の識別子（依頼コード）及びその発注希望者の会員ＩＤ（識別情報）を付したレコードを、第１記憶部としての注文情報データベース１３３に格納する。
【００４８】
次のＳ３０４では、個人間行為代行契約仲介システム１２２は、発注希望者であるアクセス元会員（Ｓ００１にて認証された会員）に対して、所定の申込料を課金する様、課金システム１２１に対して指示する。Ｓ３０４を完了すると、個人間行為代行契約仲介システム１２２は、この旅行情報登録処理サブルーチンから図２のメインルーチンに戻って、全処理を終了する。
【００４９】
一方、Ｓ００５では、個人間行為代行契約仲介システム１２２は、受注処理を実行する。図７は、Ｓ００５にて実行される発注処理サブルーチンを示すフローチャートである。
【００５０】
このサブルーチンに入って最初のＳ４０１では、個人間行為代行契約仲介システム１２２は、旅行先選択処理を実行する。これは、受注希望者が自らの旅行の目的地を特定するための処理である。具体的には、個人間行為代行契約仲介システム１２２は、Ｓ２０１にて実行した履行地選択処理と同じ処理を実行する。但し、ここでは、受注者希望者が複数の国及び場所を旅行先として特定することができるように、処理が行われる。
【００５１】
次のＳ４０２では、個人間行為代行契約仲介システム１２２は、旅行期間設定処理を実行する。これは、受注希望者が自己が旅行に出かける期間を特定するための処理である。具体的には、個人間行為代行契約仲介システム１２２は、図１３に示す月別カレンダーを表示させるためのＨＴＭＬデータをリクエスト元ブラウザ２６へ送信する。なお、このＨＴＭＬデータには、カレンダー上の何れかの日がクリック又はドラッグされた時にその期間を特定するメッセージを送信させる設定が、組み込まれている。そして、何れかの期間を特定するメッセージ（旅行期間を特定する情報）を受信すると、個人間行為代行契約仲介システム１２２は、その期間を旅行期間として設定する。
【００５２】
次のＳ４０３では、個人間行為代行契約仲介システム１２２は、Ｓ４０１にて選択された何れかの旅行先を行為履行地とし、且つ、行為が物品購入であって期限がＳ４０２にて設定した旅行期間より後であるか、行為がＡＣＴＩＶＩＴＹであって期限がＳ４０２にて設定した旅行期間以後である全てのレコードを、注文情報データベース１３３から抽出する。
【００５３】
次のＳ４０４では、個人間行為代行契約仲介システム１２２は、Ｓ４０３にて抽出した全レコードに基づいて、発注者リスト画面を表示させるためのＨＴＭＬデータを生成する。この発注者リスト画面は、図１９に示すように、各レコードの内容を表形式にて一覧表示した画面である。なお、このＨＴＭＬデータには、各レコードの依頼コードがクリックされた時に、その依頼コードを特定するメッセージを送信させる設定が、組み込まれている。
【００５４】
次のＳ４０５では、個人間行為代行契約仲介システム１２２は、Ｓ４０４にて生成したＨＴＭＬデータを、リクエスト元ブラウザ２６へ送信する。
【００５５】
次のＳ４０６では、個人間行為代行契約仲介システム１２２は、Ｓ４０５にて送信したＨＴＭＬデータを受信したブラウザ２６が何れかの依頼コードを特定したメッセージを送信してくるのを、待つ。そして、そのようなメッセージを受信すると、個人間行為代行契約仲介システム１２２は、処理をＳ４０７へ進める。
【００５６】
Ｓ４０７では、個人間行為代行契約仲介システム１２２は、Ｓ４０６にて受信したメッセージにおいて指定されている依頼コードを持つレコードを注文情報データベース１３３から読み込む。そして、読み込んだレコードの内容に基づいて、注文内容確認画面を表示させるためのＨＴＭＬデータ（特定したレコードに含まれる条件を承諾するか否かを問い合わせるメッセージ）を、生成する。この注文内容確認画面は、図２０に示すように、図１５に示す問い合わせフォームと比較して、「物品購入」ボタン６１及び「ＡＣＴＩＶＩＴＹ」ボタン６２の代わりに、選択された何れかの行為が表示され、「プロバイダ指定」ボタン６３及び「当事者間取引」ボタン６４の代わりに、選択された何れかの発送方法が表示され、「現地通貨」ボタン６５及び「日本円」ボタン６６の代わりに、選択された何れかの決済通貨が表示され、ドロップダウンリストボックス６７の代わりに、選択された何れかの支払方法が表示され、「送信」ボタン７０の代わりに、「ＯＫ」ボタン７１及び「ＮＧ」ボタン７２が含まれている。そして、このＨＴＭＬデータには、「ＯＫ」ボタン７１がクリックされた場合に、表示された各情報を応答するための設定，及び、「ＮＧ」ボタン７２がクリックされた場合にその旨を特定するメッセージを送信させる設定が、組み込まれている。
【００５７】
次のＳ４０８では、個人間行為代行契約仲介システム１２２は、Ｓ４０７にて生成したＨＴＭＬデータを、リクエスト元ブラウザ２６へ送信する。
【００５８】
次のＳ４０９では、個人間行為代行契約仲介システム１２２は、Ｓ４０８にて送信したＨＴＭＬデータを受信したブラウザ２６が何れかのボタン７１，７２を特定するメッセージを送信して来るのを、待つ。そして、メッセージを受信しないまま予め設定された待機時間が経過した場合には、個人間行為代行契約仲介システム１２２は、受注希望者によって受注が取り消されたものとみなして、この受注処理から図２のメインルーチンに戻り、全処理を終了する。また、「ＮＧ」ボタン７２のクリックを示すメッセージを受信した場合も、個人間行為代行契約仲介システム１２２は、受注希望者によって受注が取り消されたものとみなして、この受注処理から図２のメインルーチンに戻り、全処理を終了する。
【００５９】
これに対して、「ＯＫ」ボタン７１のクリックを示すメッセージ（条件を承諾する情報）を受信した場合には、個人間行為代行契約仲介システム１２２は、受注希望者によって受注内容が承諾されたものとして、処理をＳ４１０へ進める。
【００６０】
Ｓ４１０では、個人間行為代行契約仲介システム１２２は、受注希望者から受信したメッセージに含まれる情報を組み込んだ発注者用契約合意書を、生成する。この発注者用契約合意書は、Ｓ２１２にて生成されるものと同じ構成（図１７参照）を有する。そして、個人間行為代行契約仲介システム１２２は、生成した発注者用契約合意書を添付した確認メール（レコード中の条件を承諾するか否かを問い合わせるメッセージ）を、Ｓ４０７にて読み込んだレコード中の会員ＩＤに対応して会員データベース１３２に登録されているメールアドレス宛に、送信する。
【００６１】
次のＳ４１１では、個人間行為代行契約仲介システム１２２は、Ｓ４１０にて送信した確認メールに対する応答（電子メール）を待つ。そして、応答がないまま予め設定された待機時間が経過した場合には、個人間行為代行契約仲介システム１２２は、発注希望者によって契約が拒絶されたものとみなして、Ｓ４１２において、受注希望者及びＳ４１０にて確認メールを送信した相手に対して契約不成立の旨を通知（電子メール送信）して、この受注処理サブルーチンから図２のメインルーチンに戻り、全処理を終了する。なお、Ｓ４１１にて所定の待機時間内に発注希望者からの応答があった場合でも、その応答に発注者用契約合意書が添付されていなかったり、添付されていた発注者用契約合意書に当該発注希望者の会員ＩＤ及びメールアドレスが記入されていなかった場合には、個人間行為代行契約仲介システム１２２は、一旦、エラーメッセージをＳ４１０にて確認メールを送信した相手に送信することによって、会員ＩＤ及びメールアドレスが記入された受注者用契約合意書の送信を促す。そして、再度、発注者用契約合意書が添付されていない応答を受信した場合や、再受信した応答に添付されていた発注者用契約合意書に当該発注希望者の会員ＩＤ及びメールアドレスが記入されていなかった場合には、個人間行為代行契約仲介システム１２２は、契約が拒絶されたものとみなして、Ｓ４１２において、受注希望者及びＳ４１０にて確認メールを送信した相手に対して契約不成立の旨を通知（電子メール送信）して、この受注処理サブルーチンから図２のメインルーチンに戻り、全処理を終了する。
【００６２】
これに対して、Ｓ４１１にて所定の待機時間内に発注希望者から応答があり、且つ、その応答に、当該発注希望者の会員ＩＤ及びメールアドレスが記入された発注者用契約合意書（条件を承諾する情報）が添付されている場合には、個人間行為代行契約仲介システム１２２は、発注希望者によって契約内容が承諾されたものとして、処理をＳ４１３へ進める。
【００６３】
Ｓ４１３に処理が進んだ段階においては、注文内容確認画面及び発注者用契約合意書に共通して記述された行為代行の諸条件が、受注希望者及び発注希望者の双方によって合意されたことになるので、民法の規定により、それら諸条件の下での行為代行の契約が成立する。そこで、Ｓ４１３では、個人間行為代行契約仲介システム１２２は、図１８に示す成立済み契約合意書を生成し、これを添付した電子メールを、受注者及び発注者の双方のメールアドレス宛に、送信する。
【００６４】
次のＳ４１４では、個人間行為代行契約仲介システム１２２は、Ｓ４１３にて送信した成立済み契約合意書の内容を、第２記憶部としての契約内容データベース１３５に登録する。
【００６５】
次のＳ４１５では、個人間行為代行契約仲介システム１２２は、発注者に対して所定の契約仲介料を課金する様、課金システム１２１に指示する。その後、個人間行為代行契約仲介システム１２２は、この受注処理サブルーチンから図２のメインルーチンに戻り、全処理を終了する。
【００６６】
以上のようにして会員間（発注者と受注者との間）で行為代行契約が締結された後においては、各契約当事者には、契約による債務を履行する義務が生じ、個人間結成仲介システム１２３及び発送管理システム１２４は、各契約当事者が債務を履行するのを支援するように機能する。また、契約について争いが生じた場合には、契約内容データベース１３５に登録されている情報が契約の証拠となる。　図２１は、対象行為が物品購入である行為代行契約の締結後に各契約当事者及びプロバイダが採る行動を、図式化したものである。契約成立後、受注者は、旅行に出かけ、契約にて定められた場所にて、対象物品の購入を試みる（Ｓ１）。この時、購入対象物品が入手不可能であれば（Ｓ２）、受注者の債務履行義務は免責されるので、受注者は、発注者に商品が無い旨の通知を行う（Ｓ３）。これに対して、対象物品が購入できた場合には、受注者は、契約にて定められた発送方法に従って、購入した物品を発送する（プロバイダ指定が定められている場合には、発送管理システム１２４の指示に従って発送する）（Ｓ４）。
【００６７】
発送された物品を発注者が受け取った場合には（Ｓ５）、発注者には、費用（購入代金及び購入手数料）を受注者に支払う義務が生じる。そこで、発注者は、契約にて定められた決済通貨及び支払方法にて、費用を受注者に支払う（Ｓ６）。この支払いは、個人間決済仲介システム１２３に委託することも可能である。そして、支払いが済むと、契約の履行が完了したことになる（Ｓ７）。これに対して、支払いが遅延している場合には（Ｓ８）、プロバイダから発注者に対して支払勧告がなされる（Ｓ９）。
【００６８】
一方、受注者によって発送された物品を発注者が受け取れなかった場合には（Ｓ１０）、ケースバイケースで、事実調査がなされる。
【００６９】
一方、受注者によって発送された物品が発注者が受け取った時点で破損又は損壊していた場合には（Ｓ１１）、その契約にて保険加入が条件として定められていれば、発注者は、保険を引き受けた保険業者に通知する連絡する（Ｓ１２）。この場合には、保険業者が費用を肩代わりすることになるので、発注者に費用支払い義務は生じない。
【００７０】
以上説明したように、本実施形態によると、居住地以外の場所で或る行為をしたいが諸事情に因り自らその地へ行くことができない者は、本システムを利用することにより、その地でその行為を代行してくれる者を、広く募ることができる。また、近い将来に旅行に出る者は、本システムを利用することにより、旅行先での空き時間を有効利用して、依頼された行為を代行することによって、手数料収入を得ることができる。この場合、代行契約の当事者は、全くの他人同士であり、互いの個人情報も知ってはいないが、プロバイダの会員として予め個人情報が会員データベース１３２に登録されている者同士であるので、その身分はプロバイダによって保障されている。従って、インターネットの掲示板で匿名の者同士が取引をする場合よりも、取引の安全性が確保され、確実に、行為代行契約が成立する。
【００７１】
なお、本実施形態にて代行契約の対象となる行為は、物品購入の他、写真撮影，公的機関や私的機関への書類の提出，伝言，等、多岐に亘る。
【００７２】
【発明の効果】
以上説明したように、本発明によれば、何れかの目的地へ旅行する予定があり且つ他者の為に所定行為を代行する用意がある個人，及び、他者に対して特定場所にて所定行為の代行を依頼したい個人を、ネットワークを介して広く募り、行為代行について合意できた個人間で、その行為代行契約を締結させることができる。
【図面の簡単な説明】
【図１】本発明の一実施形態としてのネットワークシステムのブロック図
【図２】個人間行為代行契約仲介システムによる処理を示すフローチャート
【図３】図２のＳ００６にて実行される旅行情報登録処理サブルーチンを示すフローチャート
【図４】図２のＳ００７にて実行される発注処理サブルーチンを示すフローチャート
【図５】図２のＳ００７にて実行される発注処理サブルーチンを示すフローチャート
【図６】図２のＳ００４にて実行される注文内容登録処理サブルーチンを示すフローチャート
【図７】図２のＳ００５にて実行される受注処理サブルーチンを示すフローチャート
【図８】図２のＳ００５にて実行される受注処理サブルーチンを示すフローチャート
【図９】認証画面を示す図
【図１０】メニュー画面を示す図
【図１１】世界地図を示す図
【図１２】地域地図を示す図
【図１３】カレンダーを示す図
【図１４】受注者リスト画面を示す図
【図１５】問い合わせフォームを示す図
【図１６】受注者用契約合意書を示す図
【図１７】発注者用契約合意書を示す図
【図１８】契約合意書を示す図
【図１９】発注者リスト画面を示す図
【図２０】注文内容確認画面を示す図
【図２１】契約締結後における各者の行動を示す図
【符号の説明】
１　　　支援サーバ装置
２　　　ユーザ端末
１０　　　ＣＰＵ
１１　　　通信アダプタ
１２　　　ＲＡＭ
１３　　　ハードディスク
１２０　　　認証システム
１２１　　　課金システム
１２２　　　個人間行為代行契約仲介システム
１３２　　　会員データベース
１３３　　　注文情報データベース
１３４　　　旅行情報データベース
１３５　　　契約内容データベース
【図１】
2004005067.tif 000003
【図２】
2004005067.tif 000004
【図３】
2004005067.tif 000005
【図４】
2004005067.tif 000006
【図５】
2004005067.tif 000007
【図６】
2004005067.tif 000008
【図７】
2004005067.tif 000009
【図８】
2004005067.tif 000010
【図９】
2004005067.tif 000011
【図１０】
2004005067.tif 000012
【図１１】
2004005067.tif 000013
【図１２】
2004005067.tif 000014
【図１３】
2004005067.tif 000015
【図１４】
2004005067.tif 000016
【図１５】
2004005067.tif 000017
【図１６】
2004005067.tif 000018
【図１７】
2004005067.tif 000019
【図１８】
2004005067.tif 000020
【図１９】
2004005067.tif 000021
【図２０】
2004005067.tif 000022
【図２１】
2004005067.tif 000023